(57)【特許請求の範囲】
【請求項１】
フレーム２に、集球したボールを保持するための保持部３と柄８とを装着して成る集球具１において、該フレーム２で囲まれた開口部分の同一平面上に集球部５と、該集球部５とは異なる排球部６と、該集球部５と排球部６との間に位置する境界部４とを備え、該集球部５には線状物７をボール１２の直径より狭い間隔で張り、該保持部３は柔軟性を有するネット状や布状などのものであり、さらに、該集球部５で集球したボール１２の排球部６への移動をコントロールするための伸縮性を有する押え具９を該境界部４の上面部分の該保持部３に装着し、該押え具９を縮ませることで、該境界部４と該保持部３との間の距離がボール１２の直径よりも小さくなって、該集球部５から該排球部６へのボール１２の移動を防止することが可能であり、該押え具９を伸ばすことで、該境界部４と保持部３との間の距離がボール１２の直径よりも大きくなって、該集球部５から該排球部６へのボール１２の移動を可能とする事を特徴とした卓球用集球部。
【発明の詳細な説明】
【技術分野】
【０００１】  本発明は、多数のボールを使い行う卓球練習時のボール集め具、特にその集球面に線状物を張って成る集球具の集球したボールを排出する方法の改善に関するものである。
【背景技術】
【０００２】  卓球練習時に、床面に散乱した多数のボ−ルを集める方法としては、現在は図７に示す様な虫取り網等を利用したすくい取り式の方法が多用されている。更に、特許文献１〜４の様な方法も提案されている。これらは、すくい取るのではなく、図７のすくい取り式集球具のフレーム２で囲まれた開口部に、線状物７をボールの直径より狭い間隔で張り、その線状物７を張った面をボールの上から被せ押さえ、線状物７の間を通ったボールを集める方法である。【０００３】  この方法の場合、集めたボールを使用する時や別の容器に移し替える時には、その集球し保持している保持部から取出す必要がある。特許文献１〜４においては、それぞれ工夫がされている。本発明は、そのボールの取出し方法、即ち排球時のボール放出部の開閉方法、特に特許文献４に示されているフレーム２で囲まれた開口部分の同一平面上に集球部と排球部とを設けたものの開閉方法の改善に関するものである。
【先行技術文献】
【特許文献】
【０００４】
【特許文献１】実開昭６３−０４３５６５。
【特許文献２】登録実用新案第３００１２７７。
【特許文献３】特許登録第３６６０５８５。
【特許文献４】特開２００９−１８９７６８
【発明の概要】
【発明が解決しようとする課題】
【０００５】  本発明が改善対象としている集球具は、フレームで囲まれた開口部分の同一平面上に集球部と排球部とが設けてあり、うまく機能すれば使い易いものである。しかし、これは同一フレーム内の開口部分の同一平面上に集球部と排球部とが設けてあるので、集球部でボールを集球中等に排球部の方へ移動しこぼれ出てしまうという事がある。そのため、その防止方法として、特許文献４では排球部の大きさ（広さ）をボールの大円の１．５倍以上とするとか落下防止具を使用する等の工夫がなされている。【０００６】  しかし、集球と排球とを実用的なスムーズさで確実に行う為には、更なる改良が必要と考えられる。例えば、集めたボールをスムーズに迅速に排出する為には、排球部の大きさ（広さ）はそれなりに確保しておく方が望ましい。しかし、ただ大きくしただけでは、折角集めたボールが排球部の方へ移動し落下してしまう。したがって、落下防止具などの落下を防止する手段が必要となってくる。【０００７】  特許文献４では、落下防止具として筒状物やシート状物あるいは板状や塊状物などが提案されている。これらの方法を使えば、確かにボールの排球部からの不測のこぼれ落ち防止には有効である。ただ、筒状物やシート状物は開閉操作がやり難い時があり、板状物などの方は集球中や持運び中にずれたりなどしてボールがこぼれ出る時があり改善が望まれている。従って、本発明は、この排球時の問題の解決を目的としたものである。
【課題を解決するための手段】
【０００８】  本発明は、上記課題を次の方法により解決した。即ち、フレーム２で囲まれた開口部分の同一平面上に集球部５と排球部６を、その集球部５と排球部６との間に境界部４を、さらにその上面部分に保持部３を設けた卓球の集球具において、集球部５で集球したボール１２の排球部６への移動をコントロールする為に、伸縮性を有する押え具９を境界部４の上面部分の保持部３に装着し、この押え具９を伸び縮みさせる事により保持部３と境界部４との間の距離（ボール１２の移動用のスペース）をコントロールする方法により解決した。
【発明の効果】
【０００９】  集球したボールは集球部と保持部との間にいったん保持され、その後集球部と排球部との間の境界部の上を通り移動排出されるので、その境界部上の保持部を広げたり狭めたりしてそこのスペースの開閉を自在にコントロールする方法により、上記課題を解決し、次の様な効果が得られた。【００１０】  （イ）従来は排出部の広さを狭くするとか、落下防止具等を使用する等が必要だったが、集球部から排球部へのボール移動が境界部の所でコントロール出来る様になったので、ボールの不測のこぼれ落ち等がなくなり、排球部の広さを十分大きく設ける事が出来るようになり、ボールの排球が大変スムーズ迅速に行える様になった。特許文献４で使用の落下防止具等も不要となった。
（ロ）ゴム状物の伸縮性を利用しているので、排球の為の境界部上のスペースの開閉は、集球時と同じ様な姿勢で保持部等を手で上方へ引張ったり離したりのワンタッチ的操作で行えて、大変操作し易い使い勝手の良いものである。
（ハ）境界部上のスペースの開閉をコントロール出来る様にしたので、ボールが集球部から排球部へ勝手に移動出来なくなり、集球中や持運び中、保管中等でもボールが転がり落ちたりする心配がなく、安心して使用出来る様になった。
（二）集球したボールを集球具から容器等に移したい時は、排球部分を容器等の開口部分の上に持っていき、境界部分の上方の保持部等を手で上方へ引っ張れば、ボールは集球部から排球部の方へ移動し排出され容器等へ落下収容される。手を離せば境界部上のスペースは閉じ、再び集球や持運び等が出来る。排出途中で手を離しボールが保持部に残った状態でも集球や持運び等に支障はなく、大変使い易いものである。
【図面の簡単な説明】
【００１１】
【図１】フレーム内の開口部を集球部と排球部に仕切った原形集球具。
【図２】本発明の伸縮性を有する押え具を装着の集球具の正面図。
【図３】同上集球具の平面図。
【図４】同上集球具のＸ−Ｘ’視野断面図。
【図５】同上集球具でボールを集球中の図（正面図）。
【図６】同上集球具で集球したボールを排出中の図（正面図）。
【図７】市販のすくい取りタイプの集球具。
【発明を実施するための形態】
【００１２】  本タイプの集球具１、即ち、フレーム２で囲まれた開口部分の同一平面上に集球部５と排球部６とを設け、その上面部分に保持部３を設けた集球具１では、集球部５で集球したボール１２は集球部５と保持部３との間に一度保持され、排球時には集球部５と排球部６との間の境界部４の上部を必ず通り移動して排球部６から排出される。したがって、その移動用のスペース、即ち、保持部３と境界部４との間の距離（ボール１２の移動用の開口部）を広げたり狭めたりと開閉すれば排球のコントロールが可能である。
【００１３】  そこで、そのコントロール方法につき種々検討の結果、保持部３として柔軟性のあるネット状物や布状物などを使用し、その柔軟性を利用し、ゴム状物の伸縮特性を有する素材でその柔軟性ある保持部３を広げたり狭めたりする事により解決するに至った。
【００１４】  ゴム状物としては、ゴム状弾性を有するものやその複合材等から成る紐状、帯状、棒状、布状、ネット状等、或いはそれらを組合せた形状等の伸縮性を有する押え具９を使用し、それを境界部４の上面部分の保持部３に装着する。その際、保持部３と境界部４との間の距離（スペース）が、ボール１２の直径よりも小さく（狭く）なる様にする。また、その押え具９としては、それを引っ張れば保持部３と境界部４との間の距離（スペース）がボール１２の直径より大きく（広く）なる伸縮性を有するものを使用する。
【００１５】  この様に装着すれば、押え具９から手を離した状態であれば、集めたボールは集球中や持ち運び中などでも排球部の方へこぼれ出る事はない。また、排球したい時は、押え具９を境界部４から引き離す様に引っ張れば、保持部３と境界部４との間にはボール１２が通れるスペースが出来、そこを通ってボール１２は排球部６の方へ移動し排出される。
以下、実施例にて本発明について更に説明する。
【実施例１】
【００１６】  本実施例は、伸縮性を有する押え具９を使用した実施例である。図２から図６にその実施例図を示す。図２はその集球具の正面図を、図３は平面図を、図４は図３に示すＸ−Ｘ’視野での断面図を、図５と図６にはその使用状態図（正面図）を示す。【００１７】  押え具９を装着する前の集球具としては、図１に示す集球具、即ち、フレーム２で囲まれた開口部分を境界部４にて集球部５と排球部６とに分け、且つ排球部６の開口部の大きさ（広さ）をボール１２がスムーズに通れるものとした集球具（以後「原型集球具」と呼ぶ）を使用した。図１には、その原型集球具１１の斜視図（イ）、正面図（ロ）、平面図（ハ）、底面図（ニ）を示す。なお、原型集球具１１は図１に限定されるものではなく、実施例の一つとして示すものである。【００１８】  この原型集球具１１は、剛性のあるフレーム２に、集球したボールを保持する為の保持部３（押え具９での伸び縮みに追随可能な柔軟性を有するネットを使用）と取扱操作用の柄８とを装着し構成。そのフレーム２で囲まれた開口部はボールを集める為の集球部５と集めたボールを排出する為の排球部６（共にボール１２がスムーズに通れる大きさに形成）から成り、集球用開口部には線状物７がボール１２の直径より狭い間隔で張られ集球部５を形成し、排球部６は開口状態のままとしておき、その両者の境目には剛性ある細長板状の区切板を設け境界部４とした例である。【００１９】  この原型集球具１１に、図２〜図４に示す様に、押え具９を装着し集球具１を形成したものが本実施例１である。この押え具９としては種々の形状等の押え具９が使用できるが、本実施例では伸縮自在のゴム状弾性を有する平たい帯状物を使用し、これを境界部４の上面部分の保持部３の外側（図で上側）に装着する。【００２０】  装着時には押え具９は縮んだ状態なので、押え具９を装着した保持部３は境界部４の方へ押しつけられ、保持部３と境界部４との間の距離は小さくなる。この時、この距離がボール１２の直径より小さくなる様に調整しておく。この押え具９を引っ張るとこの距離は大きくなるが、この時その距離がボール１２の直径より大きくなる様に保持部３のサイズや押え具９の伸縮性を調整しておく。【００２１】  装着には糸を使用し、押え具９の両方の端部１０Ａをフレーム２に、また中央部付近の２ヶ所（１０Ｂ）を保持部３のネットに、縫い付け装着した。縫い付け以外の方法、例えば接着等の方法で装着しても支障ない。また、本実施例の様に１０Ａや１０Ｂの所を装着する部分的装着であっても、全面的に装着させる方法であってもよい。【００２２】  押え具９は、本実施例では保持部３の外側（図で上側）に装着したが、内側（図で下側）に装着してもよいし、保持部３で挟む様に装着してもよい。その装着部位としては、境界部４の上面部分の保持部３が好適である。【００２３】  ただし、これらの装着や使用に際しては、集球中や持運び中（即ち、押え具９を引っ張らない状態の時）には境界部４と保持部３との間の距離がボール１２の直径より小さくなる様に、また押え具９を引っ張った時にはその距離がボール１２の直径より大きくなる様に調整しておく。勿論、集球部５の上面部分の保持部３は、ボールがそこに適量��球保持出来る大きさとしておく。【００２４】  以下、本実施例の集球具１の使用方法について説明する。【００２５】  集球の時は、柄８を持ち、図５に示す様に、集球部５を床面上のボール１２の上から被せて押さえる様にすると、ボールは線状物７の間をすり抜けて、床面から保持部３の方へ移動し集球される。その時、押え具９は引っ張ったりせず装着時のままの状態で行う。その状態では、図２や図４に示す様に、押え具９が保持部３を押さえて、境界部４との間の距離（スペース）をボール１２の直径より小さくなる様にしているので、保持部３中のボール１２が排球部６の方へこぼれ出る等の恐れはなく確実に集球保持される。【００２６】  排球の時は、例えば、ボール１２を容器１３へ移したい時は、図６に示す様に、集球具１の先端部（図６で左端部）を少し上方へ上げる様にして押え具９を上方側（図６で矢印Ｇの方向）へ引くと、境界部４と保持部３との間にボール１２が通れるスペースが出来て、ボール１２はそこを通り排球部６の方へ移動し容器１３へ落下する。このボール１２が通れるスペースが出来る為には、押え具９に所定の伸縮性あるものを使用すると共に、保持部３にもそれだけのスペース形成可能な大きさを持ったものを使用しておく。【００２７】  以上の様に、伸び縮みする押え具９を境界部４の上面部分の保持部３に装着した結果、集球中に排球部６の方へボール１２がこぼれ落ちる事もなくスムーズに集球保持出来る様になった。持運び時にもこぼれ落ちる事もない。また、ボール１２を排出したい時は押え具９を上方向へ引っ張るだけの簡単操作で排出され、大変使い易い集球具である。
【符号の説明】
【００２８】      １、集球具
２、フレーム
３、保持部
４、境界部
５、集球部
６、排球部
７、線状物
８、柄
９、押え具
１０、１０Ａ、１０Ｂ、装着部
１１、原型集球具
１２、ボール
１３、容器
【図１】
0005399937.tif 000002
【図２】
0005399937.tif 000003
【図３】
0005399937.tif 000004
【図４】
0005399937.tif 000005
【図５】
0005399937.tif 000006
【図６】
0005399937.tif 000007
【図７】
0005399937.tif 000008